【手続補正書】
【提出日】平成30年9月28日(2018.9.28)
【手続補正１】
【補正対象書類名】明細書
【補正対象項目名】発明の名称
【補正方法】変更
【補正の内容】
【発明の名称】発光装置
【手続補正２】
【補正対象書類名】特許請求の範囲
【補正対象項目名】全文
【補正方法】変更
【補正の内容】
【特許請求の範囲】
【請求項１】
第１の発光素子と、第２の発光素子と、第３の発光素子と、を有する発光装置であって、
前記第１の発光素子は、
第１の下部電極と、
前記第１の下部電極上の第１の透明導電層と、
前記第１の透明導電層上の第１の発光層と、
前記第１の発光層上の第２の発光層と、
前記第２の発光層上の上部電極と、を有し、
前記第２の発光素子は、
第２の下部電極と、
前記第２の下部電極上の第２の透明導電層と、
前記第２の透明導電層上の前記第１の発光層と、
前記第１の発光層上の前記第２の発光層と、
前記第２の発光層上の前記上部電極と、を有し、
前記第３の発光素子は、
第３の下部電極と、
前記第３の下部電極上の第３の透明導電層と、
前記第３の透明導電層上の前記第２の発光層と、
前記第２の発光層上の前記上部電極と、を有し、
前記第１の透明導電層は、第１の領域を有し、
前記第２の透明導電層は、前記第３の透明導電層と同じ厚さとなる第２の領域を有し、
前記第１の領域が、前記第２の領域よりも厚いことを特徴とする発光装置。
【請求項２】
第１の発光素子と、第２の発光素子と、第３の発光素子と、を有する発光装置であって、
前記第１の発光素子は、
第１の下部電極と、
前記第１の下部電極上の第１の透明導電層と、
前記第１の透明導電層上の正孔注入層と、
前記正孔注入層上の正孔輸送層と、
前記正孔輸送層上の第１の発光層と、
前記第１の発光層上の第２の発光層と、
前記第２の発光層上の電子輸送層と、
前記電子輸送層上の電子注入層と、
前記電子注入層上の上部電極と、を有し、
前記第２の発光素子は、
第２の下部電極と、
前記第２の下部電極上の第２の透明導電層と、
前記第２の透明導電層上の前記正孔注入層と、
前記正孔注入層上の前記正孔輸送層と、
前記正孔輸送層上の前記第１の発光層と、
前記第１の発光層上の前記第２の発光層と、
前記第２の発光層上の前記電子輸送層と、
前記電子輸送層上の前記電子注入層と、
前記電子注入層上の前記上部電極と、を有し、
前記第３の発光素子は、
第３の下部電極と、
前記第３の下部電極上の第３の透明導電層と、
前記第３の透明導電層上の前記正孔注入層と、
前記正孔注入層上の前記正孔輸送層と、
前記正孔輸送層上の前記第２の発光層と、
前記第２の発光層上の前記電子輸送層と、
前記電子輸送層上の前記電子注入層と、
前記電子注入層上の前記上部電極と、を有し、
前記第１の透明導電層は、第１の領域を有し、
前記第２の透明導電層は、前記第３の透明導電層と同じ厚さとなる第２の領域を有し、
前記第１の領域が、前記第２の領域よりも厚いことを特徴とする発光装置。
【請求項３】
第１の発光素子と、第２の発光素子と、第３の発光素子と、を有する発光装置であって、
前記第１の発光素子は、
第１の下部電極と、
前記第１の下部電極上の第１の透明導電層と、
前記第１の透明導電層上の光学調整層と、
前記光学調整層上の第１の発光層と、
前記第１の発光層上の第２の発光層と、
前記第２の発光層上の上部電極と、を有し、
前記第２の発光素子は、
第２の下部電極と、
前記第２の下部電極上の第２の透明導電層と、
前記第２の透明導電層上の前記光学調整層と、
前記光学調整層上の前記第１の発光層と、
前記第１の発光層上の前記第２の発光層と、
前記第２の発光層上の前記上部電極と、を有し、
前記第３の発光素子は、
第３の下部電極と、
前記第３の下部電極上の第３の透明導電層と、
前記第３の透明導電層上の前記第２の発光層と、
前記第２の発光層上の前記上部電極と、を有し、
前記第１の透明導電層は、第１の領域を有し、
前記第２の透明導電層は、前記第３の透明導電層と同じ厚さとなる第２の領域を有し、
前記第１の領域が、前記第２の領域よりも厚いことを特徴とする発光装置。
【請求項４】
第１の発光素子と、第２の発光素子と、第３の発光素子と、を有する発光装置であって、
前記第１の発光素子は、
第１の下部電極と、
前記第１の下部電極上の第１の透明導電層と、
前記第１の透明導電層上の正孔注入層と、
前記正孔注入層上の正孔輸送層と、
前記正孔輸送層上の光学調整層と、
前記光学調整層上の第１の発光層と、
前記第１の発光層上の第２の発光層と、
前記第２の発光層上の電子輸送層と、
前記電子輸送層上の電子注入層と、
前記電子注入層上の上部電極と、を有し、
前記第２の発光素子は、
第２の下部電極と、
前記第２の下部電極上の第２の透明導電層と、
前記第２の透明導電層上の前記正孔注入層と、
前記正孔注入層上の前記正孔輸送層と、
前記正孔輸送層上の前記光学調整層と、
前記光学調整層上の前記第１の発光層と、
前記第１の発光層上の前記第２の発光層と、
前記第２の発光層上の前記電子輸送層と、
前記電子輸送層上の前記電子注入層と、
前記電子注入層上の前記上部電極と、を有し、
前記第３の発光素子は、
第３の下部電極と、
前記第３の下部電極上の第３の透明導電層と、
前記第３の透明導電層上の前記正孔注入層と、
前記正孔注入層上の前記正孔輸送層と、
前記正孔輸送層上の前記第２の発光層と、
前記第２の発光層上の前記電子輸送層と、
前記電子輸送層上の前記電子注入層と、
前記電子注入層上の前記上部電極と、を有し、
前記第１の透明導電層は、第１の領域を有し、
前記第２の透明導電層は、前記第３の透明導電層と同じ厚さとなる第２の領域を有し、
前記第１の領域が、前記第２の領域よりも厚いことを特徴とする発光装置。
【請求項５】
第１の発光素子と、第２の発光素子と、第３の発光素子と、を有する発光装置であって、
前記第１の発光素子は、
第１の下部電極と、
前記第１の下部電極上の第１の透明導電層と、
前記第１の透明導電層上の電子注入層と、
前記電子注入層上の電子輸送層と、
前記電子輸送層上の第１の発光層と、
前記第１の発光層上の第２の発光層と、
前記第２の発光層上の正孔輸送層と、
前記正孔輸送層上の正孔注入層と、
前記正孔注入層上の上部電極と、を有し、
前記第２の発光素子は、
第２の下部電極と、
前記第２の下部電極上の第２の透明導電層と、
前記第２の透明導電層上の前記電子注入層と、
前記電子注入層上の前記電子輸送層と、
前記電子輸送層上の前記第１の発光層と、
前記第１の発光層上の前記第２の発光層と、
前記第２の発光層上の前記正孔輸送層と、
前記正孔輸送層上の前記正孔注入層と、
前記正孔注入層上の前記上部電極と、を有し、
前記第３の発光素子は、
第３の下部電極と、
前記第３の下部電極上の第３の透明導電層と、
前記第３の透明導電層上の前記電子注入層と、
前記電子注入層上の前記電子輸送層と、
前記電子輸送層上の前記第２の発光層と、
前記第２の発光層上の前記正孔輸送層と、
前記正孔輸送層上の前記正孔注入層と、
前記正孔注入層上の前記上部電極と、を有し、
前記第１の透明導電層は、第１の領域を有し、
前記第２の透明導電層は、前記第３の透明導電層と同じ厚さとなる第２の領域を有し、
前記第１の領域が、前記第２の領域よりも厚いことを特徴とする発光装置。
【請求項６】
第１の発光素子と、第２の発光素子と、第３の発光素子と、を有する発光装置であって、
前記第１の発光素子は、
第１の下部電極と、
前記第１の下部電極上の第１の透明導電層と、
前記第１の透明導電層上の電子注入層と、
前記電子注入層上の電子輸送層と、
前記電子輸送層上の光学調整層と、
前記光学調整層上の第１の発光層と、
前記第１の発光層上の第２の発光層と、
前記第２の発光層上の正孔輸送層と、
前記正孔輸送層上の正孔注入層と、
前記正孔注入層上の上部電極と、を有し、
前記第２の発光素子は、
第２の下部電極と、
前記第２の下部電極上の第２の透明導電層と、
前記第２の透明導電層上の前記電子注入層と、
前記電子注入層上の前記電子輸送層と、
前記電子輸送層上の前記光学調整層と、
前記光学調整層上の前記第１の発光層と、
前記第１の発光層上の前記第２の発光層と、
前記第２の発光層上の前記正孔輸送層と、
前記正孔輸送層上の前記正孔注入層と、
前記正孔注入層上の前記上部電極と、を有し、
前記第３の発光素子は、
第３の下部電極と、
前記第３の下部電極上の第３の透明導電層と、
前記第３の透明導電層上の前記電子注入層と、
前記電子注入層上の前記電子輸送層と、
前記電子輸送層上の前記第２の発光層と、
前記第２の発光層上の前記正孔輸送層と、
前記正孔輸送層上の前記正孔注入層と、
前記正孔注入層上の前記上部電極と、を有し、
前記第１の透明導電層は、第１の領域を有し、
前記第２の透明導電層は、前記第３の透明導電層と同じ厚さとなる第２の領域を有し、
前記第１の領域が、前記第２の領域よりも厚いことを特徴とする発光装置。
【請求項７】
請求項１乃至請求項６のいずれか一項において、
前記第１の発光素子からの発光スペクトルは、発光波長が６００ｎｍ以上７４０ｎｍ以下の波長帯域に少なくとも一つのピークを有し、
前記第２の発光素子からの発光スペクトルは、発光波長が４８０ｎｍ以上６００ｎｍ未満の波長帯域に少なくとも一つのピークを有し、
前記第３の発光素子からの発光スペクトルは、発光波長が４００ｎｍ以上４８０ｎｍ未満の波長帯域に少なくとも一つのピークを有することを特徴とする発光装置。
【請求項８】
請求項１乃至請求項６のいずれか一項において、
前記第１の下部電極と前記第１の発光層との間隔は、前記第２の下部電極と前記第１の発光層との間隔よりも大きく、
前記第２の下部電極と前記第２の発光層との間隔は、前記第３の下部電極と前記第２の発光層との間隔よりも大きいことを特徴とする発光装置。
【請求項９】
請求項１乃至請求項６のいずれか一項において、
前記第１の下部電極と前記第１の発光層との光学距離は、３λＲ／４（λＲは、赤色の波長を表す）であり、
前記第２の下部電極と前記第１の発光層との光学距離は、３λＧ／４（λＧは、緑色の波長を表す）であり、
前記第３の下部電極と前記第２の発光層との光学距離は、３λＢ／４（λＢは、青色の波長を表す）であることを特徴とする発光装置。
【請求項１０】
請求項１乃至請求項６のいずれか一項において、
前記第１の発光層は、燐光材料を有し、
前記第２の発光層は、蛍光材料を有することを特徴とする発光装置。